(57)【要約】【課題】  外出の際、火気の後始末や戸締りの処置及び忘れ物の有無確認について、忘れることなく容易に行える忘れ防止装置を提供する。【解決手段】  発明の忘れ防止装置は、忘れ防止項目を描いたタッチパネルとロック装置からなり、外出する際には、忘れ物等の再確認として、これらのタッチパネルを順次タッチしての確認操作（約10秒程度）を行わなければ、忘れ防止装置につながれたロケット型のロックピンが解除できない、ひいては扉が開かない仕組としたことから、忘れ防止の実践が容易に徹底できる。【選択図】図１
2016125329.tif 000002
【特許請求の範囲】
【請求項１】
扉の近傍に設置され、複数の忘れ防止項目を表示するタッチパネルと、前記タッチパネルの全てに接触することにより前記扉の解除を可能にする施錠装置とを備えた忘れ防止装置。
【請求項２】
前記施錠装置は、ロック装置と前記ロック装置によりロックされるロックピンと前記ロックピンと線条体でつながるロックピン受器具とから構成され、前記タッチパネルのそれぞれはスイッチ機構をそれぞれ有し、前記施錠装置は、前記スイッチ機構の全てがオン又はオフとなったとき前記ロック装置の前記ロックを解除する制御部を有する請求項１に記載の忘れ防止装置。
【発明の詳細な説明】
【技術分野】
【０００１】
本発明は、外出の際に、火気の後始末や戸締りの実施及び忘れ物の確認について、当該実施状況や確認の有無を瞬時に思い起こすことを可能にした忘れ防止装置に関するものである。
【背景技術】
【０００２】
従来の忘れ防止装置としては、退出の際に忘れ防止の確認が無ければ施錠できないシステムが知られている。
【０００３】
この装置は、退出の際、忘れ防止項目毎にその現場に出向いて、火気の後始末などの確認の操作を必要とする。そのため、既に確認を行っている場合も同様の操作が必要となり二度手間となるなど、速やかに確認を終えることが望めなくなる。この不要な時間のかかる操作を外出の都度毎回行うとなれば、一般的な家庭では数日程度はできても長期間に亘って継続して行うことは難しくなる（特許文献１参照）。
【０００４】
他にも、忘れ防止の項目を表したパネル等を目視や表示を操作し確認するものがあるが、この装置は、確認行為の有無にかかわらず容易に外出できるので忘れ防止を徹底することが期待できない。（特許文献２及び３参照）
【先行技術文献】
【特許文献】
【０００５】
【特許文献１】特開２０１３−１１３０８２号公報
【特許文献２】特開２０１０−１１３３１８号公報
【特許文献３】特開２００１ー１２５４９０号公報
【発明の概要】
【発明が解決しようとする課題】
【０００６】
本発明は、外出後にしばらくしてから、電気やコンロ等火気の後始末や戸締りについて、適正に行って出てきたのかどうか不安を抱くこと、また、忘れ物を思い出して引き返すこと、などの不安や忘れ物を無くすことができるものである。
【課題を解決するための手段】
【０００７】
本発明の忘れ防止装置は、扉の近傍に設置され、複数の忘れ防止項目を表示するタッチパネルと前記タッチパネルの全てに接触することにより前記扉が解除する施錠装置を備えている。
【０００８】
本発明の忘れ防止装置は、忘れ防止の確認項目となるタッチパネルの表示を文字の他イラストを描いて見やすくし、さらに、目に入りやすい扉への取り付けが容易に行える機器とする。
【０００９】
また、外出時に行う忘れ防止の確認は、10秒程度の簡単な操作で実践できる装置にする。
【発明の効果】
【００１０】
本発明の忘れ防止装置は、外出の際に必要な防火や防犯への意識と処置の実践、忘れ物の有無についての確認を、外出時の必須として、瞬時に思い起こすことを可能にしたことから、よくある外出後のこれらの不安を払拭することができる。
【図面の簡単な説明】
【００１１】
【図１】本発明の実施形態を示す斜視図である。
【図２】本発明の実施形態のロックピンの側面図である。
【図３】本発明の実施形態のロックピン受器具の斜視図である。
【図４】本発明の実施形態を設置したときのイメージ図である。
【図５】本発明の実施形態の内部の斜視図である。
【図６】本発明の実施形態のタッチパネルの背面図である。
【図７】本発明の実施形態のタッチパネルの側断面図である。
【図８】本発明の実施形態のロック装置の側断面図である。
【図９】本発明の実施形態のロックピン筒の正面図である。
【図１０】本発明の実施形態のロックピン筒の側面図である。
【図１１】本発明の実施形態のロック装置のロック状態におけるロック装置内部の構造図である。
【図１２】本発明の実施形態のロック装置のロック解除状態におけるロック装置内部の構造図である。
【図１３】本発明の実施形態の制御部の電気回路図である。
【発明を実施するための形態】
【００１２】
本発明の忘れ防止装置は、火気の後始末や戸締りの処置及び忘れ物について、外出の際に最終確認を行うためのもので、図１ の忘れ防止装置１に図２のロックピン８及び図３のロックピン受器具１１が付属する。
以下に図１ 〜図１３に基づいて本発明の一実施の形態を説明する。
【００１３】
図１ に示す忘れ防止装置１は、上面が開口した直方体状の箱からなる装置本体１Ａと、装置本体１Ａの上面に配置される４つのタッチパネル２〜５と、同じく装置本体１Ａの内部に、タッチパネル２〜５と並んで配置されるロック装置６とから構成される。忘れ防止装置１は、図４に示すように、家屋の入り口の扉内側１３の、ドアノブ１５よりも上方の目の高さ辺りに固定される。
【００１４】
扉内側１３のドアノブ１５の上方に固定される忘れ防止装置１は、図４に示すように、扉内側１３のドアノブ１５近傍の扉外枠１４に固定される図３のロックピン受器具１１から、直径約１〜２ｍｍのステンレス製ワイヤ（線条体）９に連結された図２のロックピン８が、忘れ防止装置１のロック装置６につながれてロックされる。本実施形態の施錠装置は、忘れ防止装置１、ロックピン８、ワイヤ９、ロックピン受器具１１から構成される。
【００１５】
ロックピン８の側面には、図２に示すように、中央部からワイヤ９に近い部分にロックピン止凹１０が形成されている。ロックピン８がロック装置６のロックピン孔７に挿入されてロックピン８はロック装置６にロックされる。また、ロック解除後は、図３のロックピン受器具１１
のロックピン孔１２にロックピン８を収納する。
【００１６】
タッチパネル２の表面には、忘れ防止項目である「火の始末」の文字とそれを示す図柄が描かれている。タッチパネル３の表面には、忘れ防止項目である「戸締り」の文字とそれを示す図柄が描かれている。タッチパネル４の表面には、忘れ防止項目である「財布」の文字とそれを示す図柄が描かれている。タッチパネル５の表面には、忘れ防止項目である「携帯でんわ」の文字とそれを示す図柄が描かれている。ロック装置６は、後述する図２のロックピン８が挿入されるロックピン孔７を上面に有し、タッチパネル５に隣接して配置される。
なお、忘れ防止項目は上記４項目に限らず、「電気」、「水道」、「テレビ」など、使用者の状況に応じて増やすことは可能である。
【００１７】
装置本体１Ａの内部底面には、図５に示すように、タッチパネル２〜５のそれぞれの中央部に対応する位置にタッチパネル取付スティック１７〜２０が設けられている。タッチパネル取付スティック１７〜２０のそれぞれの、装置本体１Ａへの取り付け側とは反対側のタッチパネル２〜５の取り付け側の端部は、タッチセンサーなどからなるスイッチと一体化されている。したがって、タッチパネル取付スティック１７から２０に取り付けられるタッチパネル２〜５に接触することにより、それぞれに一体化されたスイッチがオンする。また、装置本体１Ａの内部底面の中央部には、タッチパネル２〜５の点灯やロックピン８の解除、音の発生などに必要な電源である電池１６が設けられている。
【００１８】
図６にタッチパネルの背面図、図７に同側断面図を示すように、タッチパネル２の裏面中央部には筒状の取付リング２１が形成されている。取付リング２１を、図５に示すタッチパネル取付スティック１７にはめ込むと、タッチパネル２がタッチパネル取付スティック１７に固定される。タッチパネル３〜５も同様の構成により、タッチパネル取付スティック１８〜２０に固定される。このような構成により、タッチパネル２〜５にそれぞれ接触することにより、タッチパネル取付スティック１７〜２０のそれぞれの端部に一体化された、タッチセンサーなどからなるスイッチがそれぞれ動作する。
【００１９】
図８は、ロック解除された状態を示すロック装置６周辺の側断面図である。ロックピン孔７には円柱形のロックピン筒２２がロック装置６の上面の裏面中央部に挿入されて固定されている。ロックピン筒２２内底部には、装置本体１Ａの底面に設けられた突出装置２５がはめ込まれている。突出装置２５の上部には、上辺２３Ａの一部が解放された四角形状のロックピン止金具２３が、その底辺中央部２３Ｂが設置して設けられている。ロックピン止金具２３の底辺中央部２３Ｂ上には、圧縮コイルばね２４を介してロックピン８が配置されている。
ロックピン止金具２３は、例えば、髪留めのスリーピン（パッチンどめ）のように、２つの形状状態を維持できる、平板状又は線状などのスチールからなり、図８に示すように、上辺２３Ａの一部が解放された四角形状をしている。ロックピン止金具２３は、図１１に示すように上辺２３Ａ及び底辺中央部２３Ｂが直線状の平坦状態と、図１２に示すように上辺２３Ａ及び底辺中央部２３Ｂが上方に突出する凸状態との２つの形状状態を維持する。
突出装置２５は、例えば、入力信号により機械的なストッパーが外れて突出部２５Ａが上方に突出する伸長状態になり、突出部２５Ａを押下することにより突出部２５Ａがストッパーにかみ合って突出部２５Ａが低い位置に固定された収縮状態となる構造を有するものである。
図９及び図１０は、ロックピン孔７に挿入されて固定される円柱形のロックピン筒２２の正面図及び側面図である。ロックピン筒２２の下部にはそれぞれ対向するように２つのスリット２２Ａが形成され、スリット２２Ａの上方には２つの筒状の止金具孔２２Ｂが対向するように形成されている。
図８に示すように、ロックピン筒２２の下方内部には突出装置２５が位置し、その上部にロックピン止金具２３の底辺中央部２３Ｂが、スリット２２Ａを通して配置されている。ロックピン止金具２３の上辺２３Ａの２つの解放先端部は止金具孔２２Ｂに挿入されて位置決めされている。
【００２０】
図８は、ロック装置６のロック解除状態を示している。図８において、ロックピン８をロックピン孔７からロックピン筒２５内部に入れ、圧縮コイルばね２４の伸長力に抗して挿し込むことにより、ロックピン止金具２３の底辺中央部２３Ｂの凸状態が平坦状態に移行し、その結果ロックピン止金具２３上辺２３Ａも同時凸状態から平坦状態に移行し、上辺２３Ａの解放先端部がロックピン止凹１０にはまり、ロックピン８がロックされる。
【００２１】
図１１は、ロック装置６の側面構造図で、ロックピン８のロックピン止凹１０にロックピン止金具２３が引っ掛かっている状態（ロック状態）を示している。ロックピン８がロックピン筒２２内に押し込まれると、ロックピン８の底面が下方に移動して圧縮コイルばね２４を圧縮状態に変位させ、その下部のロックピン止金具２３の底辺中央部２３Ｂが平坦状態に移行し、さらにその下の突出装置２５Ａが収縮状態となる。
【００２２】
図１２は、ロック装置６の側面構造図で、ロックピン８のロックピン止凹１０にロックピン止金具２３が引っ掛かっていない状態（ロック解除状態）を示している。突出装置２５が、図１３に示す制御部２６からの信号入力により、収縮状態から伸長状態に変わり突出部２５Ａが突出すると、その上方のロックピン止金具２３の底辺中央部２３Ｂが下部の突出装置２５の突出部２５Ａによる押上げで上方に凸の状態となり、その結果ロックピン止金具２３の上辺２３Ａの左右の解放先端部が凸状に広がり、ロックピン止凹１０の引っ掛かりが外れロックピン８がロック解除され、同時に圧縮コイルばね２４がばねの反発による伸長力でロックピン８をロックピン孔７から飛び出させる。
【００２３】
図１３は、突出装置２５を制御する制御部２６の電気回路図で、図１３において、それぞれのタッチパネル取付スティック１７〜２０と一体化されたスイッチ１７Ｂ〜２０Ｂにはそれぞれのタッチパネル２〜５を照らす光源１７Ａ〜２０Ａがそれぞれ直列接続されている。タッチパネル取付スティック１７〜２０のそれぞれのスイッチ１７Ｂ〜２０Ｂの一方の端子は、電池１６に共通接続されている。タッチパネル取付スティック１７〜２０のスイッチ１７Ｂ〜２０Ｂのそれぞれの他方の端子と光源１７Ａ〜２０Ａとのそれぞれの接続点は、アンド回路２７の４つの入力端子にそれぞれ入力されている。アンド回路２７の出力端子は突出装置２５に接続されている。
【００２４】
したがって、例えば、指でタッチパネル２に触れることによりタッチパネル取付スティック１７と一体化されたスイッチ１７Ｂがオンになり、光源１７Ａが抵抗体として機能する。そして、タッチパネル取付スティック１７と一体化されたスイッチ１７Ｂの他方の端子と光源１７Ａとの接続点がハイになり、アンド回路２７の一つの入力端子がハイになる。同様にして、タッチパネル３〜５に触れることによりタッチパネル取付スティック１８〜２０と一体化されたスイッチ１８Ｂ〜２０Ｂがオンになり、光源１８Ａ〜２０Ａが抵抗体として機能する。そして、タッチパネル取付スティック１８〜２０と一体化されたスイッチ１８Ｂ〜２０Ｂのそれぞれの他方の端子と光源１８Ａ〜２０Ａとの接続点がハイになり、突出装置２５の他の三つの入力端子がハイになる。
【００２５】
したがって、すべてのタッチパネル２〜５に触れることによりタッチパネル取付スティック１７Ａ〜２０Ａと一体化されたスイッチ１７Ｂ〜２０Ｂのすべてをオンにすると、アンド回路２７の出力がハイとなり、突出装置２５の突出部２５Ａを伸長状態に動作させる。突出部２５Ａが伸長すると、ロックピン止金具２３の底辺中央部２３Ｂが上に凸状となり、その結果ロックピン止金具２３の上辺２３Ａの左右の解放先端部が凸状に広がり、ロックピン止凹１０に引っ掛かっていたロックピン止金具２３が外れ、圧縮コイルばね２４が伸長してロックピン８がロック措置６から解除される。
なお、本実施形態では、スイッチ１７Ｂ〜２０Ｂのすべてがオンになったときにアンド回路２７がハイを出力してロックを解除するようにしたが、スイッチ１７Ｂ〜２０Ｂのすべてがオフになったときにロックを解除するようにすることも可能である。
【００２６】
なお、本実施の形態では、光源１７Ａ〜２０Ａと並列に、音源（例えば、「オッケー」、「ピッ」、「気を付けて行ってね。」などの音を発する。）を接続し、タッチパネル取付スティック１７〜２０と一体化されたスイッチ１７Ｂ〜２０Ｂがオンしたことを耳でも確認できるようにしている。
以上の構成からなる本実施の形態の動作を以下に説明する。
【００２７】
忘れ防止装置１は、タッチパネル２〜５をタッチパネル取付スティック１７〜２０にはめ込むとき、縦方向配置又は横方向配置を選択して組み立てることにより、縦型又は横型の長方形状が完成する。図４の忘れ防止装置１は、タッチパネル２〜５を横型にはめ込んだものである。また、忘れ防止装置１を取り付けるには、一例として図４で説明すると、扉内側１３のドアノブ１５上方に忘れ防止装置１を、扉外枠１４にロックピン受器具１１をそれぞれ設置する。取り付けは、ネジ又は両面テープなどで取り付けることができる。
【００２８】
在宅時の忘れ防止装置１は、図１１に示すように、忘れ防止装置１のロックピン孔７にロックピン８を挿し込んで、扉が施錠されている状態とする。このとき、ロックピン８は、図１１のロックピン止金具２３のとおりロック状態になり、タッチパネル取付スティック１７〜２０と一体化されたスイッチ１７Ｂ〜２０Ｂはオフ状態となる。
【００２９】
また、外出する際の操作は、ロック状態の忘れ防止装置１のタッチパネル２〜５の表面に順次触れて（押して）確認してゆくと、タッチパネル取付スティック１７〜２０と一体化されたスイッチ１７Ｂ〜２０Ｂが順次オンとなり、タッチパネル２〜５が一つずつ点灯し、「オーケー」等の応答音を発する。タッチパネル２〜５を全て確認したところでアンド回路２７の四つの入力端子がハイとなり、図１２に示すように、ロック装置６に挿し込んでいるロックピン８のロックが解除（ロック解除状態）される。同時に「気を付けて行ってね。」等の音声が発生し、最後にロックピン８をロックピン受器具１１のロックピン孔１２に収納して出て行くという手順になる。
【００３０】
本発明の忘れ防止装置は、外出時の防火や防犯に係る処置及び忘れ物の確認について、その処置等の確認を容易な操作等による方法としたことから確実に長期間に亘って継続して実践できるものとなる。
【００３１】
また、本装置は、簡易な構成構造に基づくものであり、既存の扉の施錠を改修することなく簡単な取り付けを可能にしたことから、既存住宅を対象としても容易に普及できるものとなる。  
とりわけ、高齢化社会における日常生活においては、無くてはならない有効な機器となり、安心・安全な生活環境を向上させるのに大いに期待できる。
なお、上記実施の形態では、通常設置されている扉のチェーンとは別に忘れ防止装置１を設置し、室内での火災発生などの緊急の場合には忘れ防止装置１を操作せずに、ワイヤ９を破壊して扉を開くようにしたが、ワイヤ９を扉チェーンと兼用させることも可能である。
また、上記実施の形態では、タッチパネル取付スティック１７〜２０と一体化されたスイッチ１７Ｂ〜２０Ｂにより突出装置２５を動作させたが、本発明はこれに限らず、液晶表示装置などをタッチパネルに用いたタッチスイッチなどでも可能である。
さらに、上記実施の形態では、スリット２２Ａ及び止金具孔２２Ｂを有するロックピン筒２２、二つの状態を有するロックピン止金具２３、及び圧縮コイルばね２４から構成される機構により、ロックピン８をロック及びロック解除させたが、単に突出装置２５上にロックピン８を配置する構成でも可能である。
さらにまた、上記実施の形態では、忘れ防止装置１を扉に、ロックピン受器具１１を扉外枠１４に設けたが、これらを逆に設けても同様の効果が得られる。
【産業上の利用可能性】
【００３２】
本発明は、安心・安全性の確保を目指すもので住宅産業などにおいて利用できる。
【符号の説明】
【００３３】
１  忘れ防止装置
１Ａ  装置本体
２〜５  タッチパネル
６  ロック装置
７  ロックピン孔
８  ロックピン
９  ワイヤ
１０  ロックピン止凹
１１  ロックピン受器具
１２  ロックピン孔
１３  扉内側
１４  扉外枠
１５  ドアノブ
１６  電池
１７〜２０  タッチパネル取付スティック
１７Ａ〜２０Ａ  光源
１７Ｂ〜２０Ｂ  スイッチ
２１  取付リング
２２  ロックピン筒
２２Ａ  スリット
２２Ｂ  止金具孔
２３  ロックピン止金具
２３Ａ  上辺
２３Ｂ  底辺中央部
２４  圧縮コイルばね
２５  突出装置
２５Ａ  突出部
２６  制御部
２７  アンド回路
【図１】
2016125329.tif 000003
【図２】
2016125329.tif 000004
【図３】
2016125329.tif 000005
【図４】
2016125329.tif 000006
【図５】
2016125329.tif 000007
【図６】
2016125329.tif 000008
【図７】
2016125329.tif 000009
【図８】
2016125329.tif 000010
【図９】
2016125329.tif 000011
【図１０】
2016125329.tif 000012
【図１１】
2016125329.tif 000013
【図１２】
2016125329.tif 000014
【図１３】
2016125329.tif 000015